(57)【特許請求の範囲】
【請求項１】
平時においては敷きパッド、敷き布団、又は掛け布として用いられ、災害発生時は要救助者を搬送するための搬送具として用いられる寝具であって、
シート状の本体と、両端が前記本体に接続された一対の第１ベルトと、を備え、
前記一対の第１ベルトは前記本体の周縁よりも内方において第１の所定方向に延び、
災害発生時においては、前記一対の第１ベルトを救助者の肩に掛けて、前記本体の上で横になった状態の要救助者を持ち上げられるように構成され、
前記本体は、第１シートと、前記第１シートに積層された第２シートと、を備え、前記第１シートと前記第２シートとの間には取出口が設けられ、
前記一対の第１ベルトは、前記第１シートと前記第２シートとの間に介在し、前記取出口を介して前記本体の外方へ引き出し可能とされていることを特徴とする寝具。
【請求項２】
平時においては敷きパッド、敷き布団、又は掛け布として用いられ、災害発生時は要救助者を搬送するための搬送具として用いられる寝具であって、
シート状の本体と、両端が前記本体に接続された一対の第１ベルトと、を備え、
前記一対の第１ベルトは前記本体の周縁よりも内方において第１の所定方向に延び、
災害発生時においては、前記一対の第１ベルトを救助者の肩に掛けて、前記本体の上で横になった状態の要救助者を持ち上げられるように構成され、
前記本体は、第１シートと、前記第１シートに積層された第２シートと、を備え、前記一対の第１ベルトは、前記第１シートと前記第２シートとの間に介在し、
前記第１シートは、難燃性又は不燃性のシート部材から成ることを特徴とする寝具。
【請求項３】
前記一対の第１ベルトの各々は、前記第１の所定方向の両端部が前記本体に固定され、残部は前記本体に対して非固定とされて非固定部を構成し、前記一対の第１ベルトの各々の前記非固定部の長さ寸法は７０ｃｍ〜９０ｃｍであることを特徴とする請求項１又は２に記載の寝具。
【請求項４】
第１の所定方向に沿って横たわった要救助者の全身を支持するシート状の本体と、
両端が前記本体に接続された一対の第１ベルトと、
前記本体の四隅に設けられたずれ止めゴムと、を備え、
前記本体は難燃性又は不燃性のシート部材からなり、
前記一対の第１ベルトの各々は前記本体の周縁よりも内方に位置して前記第１の所定方向に延び、
前記一対の第１ベルトの各々は、前記第１の所定方向の両端部が前記本体に固定され、残部は前記本体に対して非固定とされて非固定部を構成し、
前記一対の第１ベルトを救助者の肩に掛けて、前記本体ごと前記要救助者を持ち上げて搬送できるように構成され、
前記一対の第１ベルトの各々の前記非固定部の長さ寸法は７０ｃｍ〜９０ｃｍでり、
前記本体の上面に置かれた敷き布団の四隅に前記ずれ止めゴムを引っかけることにより前記本体と前記敷き布団とを連結できるように構成されていることを特徴とする搬送具。
【請求項５】
一対の第２ベルトを更に備え、
前記一対の第２ベルトは前記本体の周縁よりも内方に位置して前記第１の所定方向に延び、
前記一対の第２ベルトの各々は、前記第１の所定方向の両端部が前記本体に固定され、残部は前記本体に対して非固定とされて非固定部を構成し、
前記一対の第２ベルトの各々の前記非固定部の長さ寸法は２５ｃｍ〜３５ｃｍであることを特徴とする請求項４に記載の搬送具。
【発明の詳細な説明】
【技術分野】
【０００１】
本発明は、非常時には身体的弱者を搬送するための搬送具として用いられる寝具及び搬送具に関する。
【背景技術】
【０００２】
火事や地震などの非常時において寝たきりの高齢者等を救助する場合には、要救助者を担架に乗せて運ぶのが一般的であるが、従来より担架に代わる種々の搬送具が提案されている。例えば、特許文献１に開示の寝具は、周縁部に把持部が設けられたベッドパッドから成り、救助者が把持部を把持することにより、要救助者をベッドパッドに寝た状態のままで搬送できるように構成されている。また特許文献２に開示の介護用トランスファは、要救助者の腰部を支えるための本体と、本体に接続された背負いベルトと、を有し、使用に際しては、寝た状態の要救助者の下に本体を置き、背負いベルトをロックして長さ調節を行い、救助者が背負いベルトを首に掛けて持ち上げることにより、要救助者を抱き上げられるように構成されている。
【先行技術文献】
【特許文献】
【０００３】
【特許文献１】特開２００１−１３７２９４号公報
【特許文献２】特開２００５−３３４３４７号公報
【発明の概要】
【発明が解決しようとする課題】
【０００４】
少子高齢化の一途をたどる現代においては、老人ホームのような介護施設の増加とともに、このような介護施設での火災が増えている。その半面、介護職員数の数は限られており、特に夜間の当直職員数が少なく、入居者５〜１０人に対して当直職員は１名程度が現状である。このような状況において、従来の担架では要救助者の搬送に複数の要救助者が必要であり、また要救助者をベッドから担架に移し替える手間がかかり、緊急時において迅速に対応しきれないという問題があった。
【０００５】
この点、特許文献１に開示のベッドパッドでは、要救助者をベッドから担架に移し替える手間は省けるものの、やはり複数人で搬送する必要があり、限られた人数で迅速に多くの要救助者を非難させるのは困難であった。
【０００６】
また、特許文献２に開示の介護用トランスファは、要救助者を１人で搬送できるように構成されてはいるものの、寝ている状態の要救助者の下に本体を置いたり、背負いベルトをロックしたりする等の作業が必要となり、これらの作業に手間取るという問題があった。
【０００７】
本発明は、災害発生時に防災用具として利用可能な寝具の提供を目的とする。
【０００８】
本発明は、要救助者を容易且つ迅速に搬送できる搬送具の提供を他の目的とする。
【課題を解決するための手段】
【０００９】
本発明の寝具は、平時においては敷きパッド、敷き布団、又は掛け布として用いられ、災害発生時は要救助者を搬送するための搬送具として用いられる寝具であって、シート状の本体と、両端が前記本体に接続された一対の第１ベルトと、を備え、前記一対の第１ベルトは前記本体の周縁よりも内方において第１の所定方向に延び、災害発生時においては、前記一対の第１ベルトを救助者の肩に掛けて、前記本体の上で横になった状態の要救助者を持ち上げられるように構成されていることを特徴とする。
【００１０】
また、本発明の寝具は、前記一対の第１ベルトの各々の長さ寸法は７０ｃｍ〜９０ｃｍであることを特徴とする。
【００１１】
また、本発明の寝具は、前記本体は、第１シートと、前記第１シートに積層された第２シートと、を備え、前記第１シートと前記第２シートとの間には取出口が設けられ、  前記一対の第１ベルトは、前記第１シートと前記第２シートとの間に介在し、前記取出口を介して前記本体の外方へ引き出し可能とされていることを特徴とする。
【００１２】
また、本発明の寝具は、両端が前記本体に固定されて前記第１の所定方向に延びる一対の第２ベルト及び一対の第３ベルトを更に備え、前記第１の所定方向において、前記一対の第１ベルトは前記一対の第２ベルトと前記一対の第３ベルトの間に位置することを特徴とする。
【００１３】
また、本発明の寝具は、前記第１シートは、難燃性又は不燃性のシート部材から成ることを特徴とする。
【００１４】
また、本発明の寝具は、前記第１の所定方向と交差する第２の所定方向に延びて前記一対の第１ベルトの間を接続する補強ベルトを更に備えることを特徴とする。
【００１５】
また、本発明の寝具は、前記本体の一対の側縁同士を着脱自在に接合する接合手段を更に備えることを特徴とする。
【００１６】
また、本発明の寝具は、敷きパッド、敷き布団、又は掛け布として利用可能な寝具であって、第１シートと、前記第１シートに積層された第２シートと、前記第１シートと前記第２シートとを着脱自在に接合する接合手段と、を備え、前記接合手段は、前記第１シートの側縁に設けられた第１接合手段と、前記第２シートの側縁に設けられ前記第１接合手段と接合自在な第２接合手段と、を備え、前記第１接合手段は、他の寝具に設けられた他の第２接合手段と接合可能であり、前記第１シートは難燃性又は不燃性のシート部材から成ることを特徴とする。
【００１７】
また、本発明の搬送具は、第１の所定方向に沿って横たわった要救助者の全身を支持するシート状の本体と、両端が前記本体に接続された一対の第１ベルトと、を備え、前記一対の第１ベルトは前記本体の周縁よりも内方において前記第１の所定方向に延び、前記一対の第１ベルトを救助者の肩に掛けて、前記本体ごと前記要救助者を持ち上げて搬送できるように構成されていることを特徴とする。
【発明の効果】
【００１８】
本発明の寝具によれば、普段から敷きパッド等として利用されている寝具を災害発生時には搬送具として利用できるので、災害発生時に慌てて搬送具を手配する必要がなく、早急に要救助者を搬送することができる。また、一対の第１ベルトを救助者の肩に掛けて要救助者を持ち上げることができるので、救助者は単独で要救助者を容易に搬送することができる。また、第１ベルトは本体の周縁よりも内方に位置するので寝具を寝具として利用する際に第１ベルトが邪魔にならない。
【００１９】
また、一対の第１ベルトの各々の長さ寸法は７０ｃｍ〜９０ｃｍであるので、第１ベルトをたすき掛けにして要救助者を持ち上げると共に、このように持ち上げた要救助者の身体に両手を回して抱きかかえることができ、単独での要救助者の搬送を容易にできる。
【００２０】
また、一対の第１ベルトは、本体の第１シートと第２シートとの間に配置されており、取出口を介して本体の外方へ引き出し可能とされているので、平時においては第１ベルトを本体内部に収容させておけば邪魔にならず、災害発生時においては取出口を介して容易に取り出して利用することができる。
【００２１】
また、一対の第１ベルトの両側に位置する一対の第２ベルト及び一対の第３ベルトを更に備えるので、ベルトに棒を挿通させて担架として利用したり、第２又は第３ベルトを把持して引きずって搬送したり、第２又は第３ベルトを要救助者の両肩に掛けると共に第１ベルトを救助者の両肩にかけて要救助者を背負って搬送することが可能になり、搬送具としての利用形態を充実できる。
【００２２】
また、第１シートは、難燃性又は不燃性のシート部材から成るので、要救助者を本体で覆えば、要救助者を炎から守りながら搬送することができる。
【００２３】
また、第２の所定方向に延びる補強ベルトを更に備えるので、本体の強度を高めることができ、要救助者を安全に搬送させることができる。
【００２４】
また、接合手段を更に備えるので、避難先等においては、本体の一対の側縁同士を接合させることにより寝具をシュラフとして用いたり、複数の寝具同士を繋ぎ合わせてカーペットのようにして用いることができる。
【００２５】
また、本発明の寝具によれば、敷きパッド、敷き布団、又は掛け布として利用可能であるので、寝具を日常的に利用することにより災害発生時に慌てて手配する必要がない。また、第１シートは難燃性又は不燃性のシート部材から成るので、防炎コート等として利用することができる。また、第１接合手段は他の寝具に設けられた他の第２接合手段と接合可能とされているので、複数の防炎用具を連結させることができる。そして、このように複数の防炎用具を連結させることにより面積の広いカーペットとして利用することができ、体育館等の避難先における快適さを向上できる。
【００２６】
本発明の搬送具によれば、一対の第１ベルトを救助者の肩に掛けて要救助者を持ち上げることができるので、救助者は単独で要救助者を容易に搬送することができる。また、シート状の本体により要救助者の全身が支持されるので、例えば本体により要救助者の胴部のみを支持する構成のものと比較して、安定して要救助者を搬送することができる。更に、寝たきりの高齢者等にあっては、本発明の搬送具を普段から敷き布団やベッドマットの下に敷いておけば、敷き布団やベッドマットごと要救助者を搬送でき、災害発生時において担架等を新たに手配する必要がなく、迅速な対応が可能になる。
【図面の簡単な説明】
【００２７】
【図１】本発明の第１実施形態に係る寝具の平面図
【図２】図１に示す寝具の分解斜視図。
【図３】図１に示す寝具の透視平面図。
【図４】(ａ)は図１の寝具が備える上シートの内面（下面）を示す底面図、（ｂ）は図１に示す寝具が備える下シートの内面（上面）を示す平面図。
【図５】図１に示す寝具を用いた抱っこ型搬送方法を説明する図。
【図６】図１に示す寝具を用いた引きずり搬送方法を説明する図。
【図７】図１に示す寝具を用いた背負い搬送方法を説明する図。
【図８】図１に示す寝具を用いた２人搬送方法の一例を示す図。
【図９】図１に示す寝具の防炎コートとしての使用方法を示す図。
【図１０】本発明の第２実施形態に係る寝具を示す図であって、（ａ）はその平面図、（ｂ）は長辺同士を係合した状態を示す斜視図。
【図１１】本発明の第３実施形態に係る寝具を示す平面図。
【図１２】本発明の第４実施形態に係る寝具を示す平面図。
【図１３】本発明の第５実施形態に係る搬送具を示す平面図。
【発明を実施するための形態】
【００２８】
［第１実施形態］
以下、添付図面を参照して、本発明の第１実施形態に係る寝具について説明する。図１〜図４を参照して、図示の寝具１は、火災や地震等の災害発生時は要救助者を搬送するための搬送具として機能し、平時は敷きパッド、敷き布団、又は掛け布等の寝具として用いられる寝具型の搬送具（防災用具）であって、長方形状を有するシート状の本体２と、本体２に接続された複数本のベルト３及び補強ベルト４と、を備える。
【００２９】
本体２は、病院等において使用される一般的なベッドマットと少なくとも同一の寸法を有し、下シート５と、下シート５の上に積層された上シート６と、を備え、下シート５と上シート６とは縫製等により固定され、ベルト３及び補強ベルト４は下シート５と上シート６の間に介在している。また、下シート５は、外シート５１と、外シート５１の上に積層された内シート５２と、を有する。外シート５１は難燃性又は不燃性のシート部材から成り、例えばポリエステル製とされている。内シート５２は例えばポリエステル製であって、保温シート、断熱シート、体圧分散シート等からなる。なお、下シート５又は外シート５１が第１シートを構成し、上シート６が第２シートを構成する。
【００３０】
本体２にはその長手方向Ｄ１（第１の所定方向）の側縁において開口する複数（より具体的には６個）のポケット１１が形成されている。これらのポケット１１は、下シート５と上シート６とを図１において点線で示す縫製ラインＬに沿って縫製することにより形成されるものであって、これらのポケット１１の開口は下シート５と上シート６との間に設けられ、各ベルト３を後述のように本体２の外方へ引き出すための取出口Ｎとして機能する。
【００３１】
複数のベルト３には、本体２の長手方向Ｄ１略中央部に位置する一対の第１ベルト３１（肩掛けベルト）と、本体２の長手方向Ｄ１において各第１ベルト３１の両側に位置する一対の第２ベルト３２及び一対の第３ベルト３３と、が含まれ、各ベルト３は対応のポケット３内において長手方向Ｄ１に沿って延びている。即ち、複数のベルト３は、本体２の長手方向Ｄ１両側縁に沿って延びると共に、本体２の周縁よりも内方に位置している。
【００３２】
また、複数の補強ベルト４は、本体２の短手方向Ｄ（第２の所定方向）に沿って延び、一対の第１ベルト３１の端部同士を接続する一対の第１補強ベルト４１と、一対の第２ベルト３２の端部同士を接続する一対の第２補強ベルト４２と、一対の第３ベルト３３の端部同士を接続する一対の第３補強ベルト４３と、を含む。
【００３３】
そして、本実施形態においては、一対の第１ベルト３１と一対の第１補強ベルト４１は、図２及び図４（ｂ）に示す様に平面視ロの字状に折り畳まれた一本のベルト体Ｂ１により一体に形成されており、一対の第２ベルト３２と一対の第２補強ベルト４２、及び一対の第３ベルト３３と一対の第３補強ベルト４３も同様に、それぞれロの字状に折り畳まれた一本のベルト体Ｂ２，Ｂ３により一体に形成されている。
【００３４】
即ち、各ベルト体Ｂ（Ｂ１，Ｂ２，Ｂ３）のうち、短手方向Ｄ２に延びる部分が補強ベルト４として機能し、縫製等によって本体２に固定されている。また各ベルト体Ｂのうち、長手方向Ｄ１に延びる部分がベルト３として機能し、ベルト３はその両端部のみが本体２に固定され、残部は本体２に対して非固定とされている。これにより、各ベルト３を上述したように取出口Ｎから本体２の外方へ引き出すことが可能になっている。そして、長手方向Ｄ１における第１ベルト３１（本体２に対して非固定とされた非固定部）の長さ寸法Ｌ１は７０ｃｍ〜９０ｃｍ程度であるのが好ましく、第２及び第３ベルト３２，３３の長さ寸法Ｌ２は約２５ｃｍ〜３５ｃｍ程度であるのが好ましい。
【００３５】
かかる構成により、寝具１が平時において掛け布等の寝具として使用される場合においては、ベルト３はポケット１１内に収容されて本体２から外方へはみ出さず、本体２の内部に収容された状態となり、使用者の手足がベルト３に引っ掛かるなどの不具合を回避できる。また、ベルト３は本体２の長手方向Ｄ１両側に設けられているので、寝具１を敷き布団や敷きパッドとして利用した場合であっても、寝具１の上で横になった使用者の身体にベルト３が当たりにくく、寝心地を損ねない。また、ベルト３が縫製ラインＬ１を超えて本体２の内方へ位置ずれするのが防止される。
【００３６】
また、各ポケット１１の開口部（取出口Ｎ）付近における下シート５の上面５ａと上シート６の下面６ｂには、複数の面ファスナＴが設けられている。下シート５と上シート６とは、下シートの上面５ａと上シート６の下面６ｂとが対向するようにして積層されるので、これらの面ファスナＴを係合させてポケット１１の開口（取出口Ｎ）を閉じることができる。これにより、各ベルト３が不必要に外方へ飛び出すのが防止される。
【００３７】
このように構成された寝具１を利用した要救助者の搬送方法には、抱っこ型搬送方法、引きずり搬送方法、背負い搬送方法、及び２人搬送方法が含まれ、以下、これらの搬送方法について順に説明する。
【００３８】
先ず、抱っこ型搬送方法について説明する。図５に示す様に、救助者Ｒは寝具１の上に横たわっている要救助者Ｐを左右両側から包むように寝具１の左右両縁を立ち上げると共に、一対の第１ベルト３１を本体２の間（ポケット１１）から引き出す（図５（ａ）（ｂ）参照）。そして、このように引き出された一対の第１ベルト３１を救助者Ｒの肩にたすき掛けにし（図５（ｃ））、両腕で要救助者Ｐを抱きかかえるようにして持ち上げ（図５（ｄ））、避難所等へ搬送する。なお、救助者Ｒは、補助的に第２ベルト３２又は／及び第３ベルト３３を把持して搬送してもよい。
【００３９】
このように、寝具１を用いた抱っこ型搬送方法では、救助者Ｒは単独で要救助者Ｐを避難させることができるので、人手不足を解消できる。また、第１ベルト３１をたすき掛けにできるので、救助者Ｒは腕だけでなく、膝や腰の力を使って要救助者Ｐを持ち上げることができ、救助者Ｒの身体的負担を軽減できる。更に、寝具１には第１ベルト３１に接続されて短手方向Ｄ２に延びる一対の第１補強ベルト４１が設けられているので、第１補強ベルト４１により本体２の強度が補強され、要救助者Ｐの重みにより本体２が破損するのを防止できる。
【００４０】
また、上述したように長手方向Ｄ１における第１ベルト３１の長さ寸法Ｌ１は７０ｃｍ〜９０ｃｍ程度とされているので、救助者Ｒは容易に第１ベルト３１をたすき掛けにできると共に、要救助者Ｐを持ち上げた際のバランスを良くできる。即ち、第１ベルト３１が７０ｃｍよりも短いと、第１ベルト３１をたすき掛けにしようとしても頭や肩を第１ベルト３１に通しにくくなる。また、第１ベルト３１の長さ寸法Ｌ１が９０ｃｍよりも長くなると、上述のようにして要救助者Ｐを持ち上げた際における要救助者Ｐの身体の高さ位置が低くなりすぎて、バランスが悪くなる。
【００４１】
また、第１ベルト３１をポケット１１から引き出すだけで直ぐに使用できるので、従来のようにベルトをロックする等の手間が不要となり、要救助者Ｐを迅速に避難させることができる。更に、寝具１を日常的に敷きパッドや敷き布団として使用すれば、要救助者Ｐを本体２の上へ移し替える手間も不要となる。
【００４２】
そして、このようにして抱き上げられた要救助者Ｐは、頭の先からつま先まで全身が本体２に包まれ、且つ難燃性又不燃性の下シート５（外シート５１）が外側を向く様になるので、救助者Ｒは外部からの衝撃や炎等から要救助者Ｐを守りながら避難させることができる。また、要救助者Ｐの全身が本体２で支持されるので、例えば要救助者Ｐの胴体部分のみを支持する構成のものと比較して、要救助者Ｐをより安定して抱えることができる。
【００４３】
次に、引きずり搬送方法について説明する。この引きずり搬送方法は主として、救助者Ｒに要救助者Ｐを抱え上げるだけの体力がない場合に採用される。ここで、一対の第２ベルト３２と一対の第３ベルト３３は実質同一の構成を有するが、以下の説明においては、図５（ａ）に示す様に長手方向Ｄ１に横たわった要救助者Ｐの頭側に位置する方を第２ベルト３２とし、足先側に位置する方を第３ベルト３３とする。
【００４４】
この引きずり搬送方法では、図６に示す様に、一対の第２ベルト３２を把持して寝具１を引きずって要救助者Ｐを搬送する。この方法においても、要救助者Ｐを迅速かつ容易に避難させることができる。また、このようにして寝具１を引きずると、寝具１の角部が要救助者の頭部を覆うようになり、要救助者Ｐの頭部を保護しながら搬送できる。なお、一対の第２ベルト３２に代えて一対の第３ベルト３３を把持して搬送してもよい。
【００４５】
次に、背負い搬送方法について説明する。この搬送方法ではまず、図７（ａ）に示す様に、要救助者Ｐの股の間に寝具１の長手方向Ｄ１端部を折り込む。次に、図７（ｂ）に示す様に一対の第２ベルト３２を引っ張りだし、この第２ベルト３２を要救助者Ｐの両肩にかける（図７（ｂ）の矢印Ａ参照）。そして、図７（ｃ）に示すように一対の第１ベルト３１を引き出し、これを救助者Ｒの両肩にかけることで、図７（ｄ）に示す様に要救助者Ｐを背負うことができる。
【００４６】
この搬送方法によれば、一対の第２ベルト３２が要救助者Ｒの両肩にかけられているので、寝具１が要救助者Ｒからずり落ちることがない。また、要救助者Ｒの臀部が本体２により支持され、また本体２は救助者Ｒの両肩に掛けられた一対の第１ベルト３１により保持されるので、救助者Ｒは要救助者Ｐをリュックを背負うようにして搬送することができ、救助者Ｒの身体的負担を軽減できる。
【００４７】
２人搬送方法としては、第１ベルト３２を利用した２人搬送方法、２本の棒を利用した２人搬送方法、１本の棒を利用した２人搬送方法があげられる。
【００４８】
まず、第１ベルト３２を利用した２人搬送方法では、２人の救助者Ｒが向き合うようにして寝具１の左右両側（短手方向Ｄ２両側）に立ち、各救助者Ｒが第１ベルト３２を肩にたすき掛けにすると共に第３ベルト３３を把持して持ち上げる。
【００４９】
また、２本の棒を利用した２人搬送方法では、図８に示す様に、第２ベルト３２，第１ベルト３１，及び第３ベルト３３を長手方向Ｄ１に延びる一対の棒Ｅのそれぞれに引っかける。そして、これらの棒Ｅの両端を２人の救助者Ｒが把持することにより、担架を運ぶようにして寝具１ごと要救助者Ｐを搬送する。  
１本の棒を利用した２人搬送方法では、６本全てのベルト３を一本の棒に引っかけ、棒の両端を２人の救助者Ｒがそれぞれ把持して運ぶ。なお、この場合には棒を肩に担ぐようにすると搬送しやすい。
【００５０】
また、本実施形態に係る寝具１には、上述した利用方法の他にも種々の利用方法があり、例えば、図９に示す様に、要救助者Ｐに寝具１を頭からすっぽりと被せることにより、寝具１を防炎コートとして利用することができる。このとき、要救助者Ｐの両肩に第１ベルト３１をクロスさせて通すことで、寝具１のずり落ちを防止できる。また、要救助者Ｐを車椅子で搬送する際においても、このようにして要救助者Ｐに寝具１を頭からすっぽりと被せた状態で車椅子に座らせることにより、要救助者Ｐを炎等から守りながら搬送することができ、一対の第２ベルト３２を車椅子のグリップに引っかければ急停止時における転落の防止や座った状態の体位保持が可能となる。
【００５１】
［第２実施形態］
次に、本発明の第２実施形態に係る寝具について説明する。図１０を参照して、図示の寝具１０１は上述した寝具１と略同一の構成を有するが、接合手段としてのファスナ７を備える点で寝具１と異なる。このファスナ７は、相互に噛合可能な第１及び第２ファスナ半部７１，７２（第１接合手段、第２接合手段）を備え、これら第１及び第２ファスナ半部７１，７２は、長手方向Ｄ１に延びる本体２（より具体的には下シート５）の両側縁に取り付けられている。第１及び第２ファスナ半部７１，７２のエレメント（図示せず）同士を金具（図示せず）を用いて噛合させることにより、図１０（ｂ）に示すように本体２の長手方向Ｄ１両側縁同士を接合でき、このように接合させることにより寝具１０１をシュラフとして用いることができる。
【００５２】
また、ファスナ７を利用して複数枚の寝具１０１を連結させることもできる。即ち、寝具１０１のファスナ半部７１と、他の寝具１０１のファスナ半部７２とを噛合させることにより、複数枚の寝具１０１を連結させることができ、このように連結された複数の寝具１０１を床に敷けば広い面積を有するカーペット代わりになり、避難所においても快適に過ごすことができる。
【００５３】
なお、接合手段としては、上述したファスナ７に限定されず、例えば面ファスナやホック等であってもよい。
【００５４】
［第３実施形態］
次に、本発明の第３実施形態に係る寝具について説明する。なお、以下の実施形態において上述した第１又は第２実施形態におけるものと実質同一の部材については同一の参照番号を付し、その説明を省略する。
【００５５】
図１１を参照して、図示の寝具２０１は、上述した第２実施形態の寝具１０１と略同一の構成を有するが、下シート５に代えて下シート２０５を有する点で異なる。下シート２０５は下シート５よりも（即ち、上シート６よりも）一回り大きく、平面視において下シート２０５の周縁部２０５ａが上シート６からはみ出している。そして、上シート６の周縁部のうち、図１１において太線Ｌ２で示す部位が下シート２０５に対して縫製により固定され、上シート６の周縁部のうち、このようにして下シート２０５に対して固定されていない部分が各ポケット１１の開口部、即ちベルト３の取出口Ｎ’を構成している。
【００５６】
このように構成された寝具２０１においても、上述した寝具１，１０１と同様の効果が得られる。また、寝具２０１を平時において敷きパッドとして用いる場合においては、下シート２０５の周縁部２０５ａをベッドマットや敷き布団の下へ折り込むことにより、寝具２０１の位置ずれを防止できる。更に、取出口Ｎ’は本体２０２の側縁ではなく、本体２０２の上面に設けられているので、下シート２０５の周縁部２０５ａを敷き布団等の下へ折り込んでも、取出口Ｎ’は敷き布団の下に隠れないため、取出口Ｎ’から容易にベルト３を引き出して使用することができる。
【００５７】
また、下シート２０５が上述した第１，第２実施形態におけるものよりも幅広とされているため、ファスナ７を閉じてシュラフとして用いた場合でも内部空間にゆとりができ、快適に利用することができる。
【００５８】
［第４実施形態］  
次に、本発明の第４実施形態に係る寝具について説明する。図１２を参照して、図示の寝具３０１は上述した寝具１０１と略同一の構成を有するが、寝具３０１には上述したベルト３及び補助ベルト４は設けられてなく、上述した下シート５と上シート６は本体３０２が袋状となるようにファスナ３０７（接合手段）により相互に連結されている。即ち、ファスナ３０７の第１ファスナ半部（第１接合手段）は下シート５の４辺のうち短手方向Ｄ２に延びる１辺を除く３辺に沿って取り付けられ、ファスナ３０７の第２ファスナ半部（第２接合手段）は下シート５の上記３辺に対応する上シート６の３辺に沿って取り付けられ、これら第１ファスナ半部と第２ファスナ半部とを噛合させることにより、本体３０２は短手方向Ｄ２に延びる１辺を除く３辺が閉じられた袋状となり、本体３０２の内部にはヒトが入り込める空間が規定される。
【００５９】
かかる構成を有する寝具３０１は、平時においては敷き布団、敷きパッド、掛け布などの寝具として利用することができ、災害時における避難先においては下シート５と上シート６との間の空間にヒトが入るシュラフとして利用できる。また、上記３辺のうちの２辺についてファスナ３０７を開けると、下シート５と上シート６とが左右に並んだ状態へ本体３０２を展開することができ、寝具３０１の面積を広げてカーペットとして利用することもできる。また、第２実施形態の寝具１０１と同様に、このように展開された複数の寝具３０１をファスナ３０７を用いて連結させることもできる。
【００６０】
なお、本実施形態においては本体３０２を袋状に構成したが、本体３０２を長手方向Ｄ１に延びる筒状に構成することもでき、この場合であっても上述したのと同様の効果を得ることができる。なお、本体３０２を筒状に構成するには、下シート５の長手方向Ｄ１両側縁と上シート６の長手方向Ｄ１両側縁とを１対のファスナを用いて着脱自在に接合してもよく、或いは下シート５の一方の長手方向Ｄ１側縁と上シート６の一方の長手方向Ｄ１側縁とをファスナを用いて着脱自在に接合し、他方の長手方向Ｄ１側縁同士については縫製等により固定的に連結させてもよい。
【００６１】
［第５実施形態］
次に、本発明の第５実施形態に係る搬送具について説明する。図１３に示す搬送具４０１（防災用具）は、通常の敷き布団や敷きパッド等と組み合わせて用いることができる様に構成されており、シート状の本体４２と、複数のベルト３（第１〜第３ベルト３１〜３３）と、複数の補強ベルト４（第１〜第３補強ベルト４１〜４３）と、を備える。本体４２は、上述した外シート５１と実質同一であって、難燃性又は不燃性のシート部材から成り、例えばポリエステル製とされている。複数のベルト３及び複数の補強ベルト４は、上述した下シート５に代えて本体４２に対して上述した第１実施形態と同様に連結されている。
【００６２】
また、本体４２の四隅にはズレ止めゴム８が設けられ、本体４２の上面には複数の滑り止め部材９が設けられている。かかる構成において、本体４２の上に置かれた敷き布団（図示せず）の四隅にズレ止めゴム８を引っ掛けることにより、本体４２と敷き布団とが連結され、滑り止め部材９により敷き布団と本体４２との位置ずれが防止される。
【００６３】
更に、一方の第２ベルト３２及び一方の第３ベルト３３にはそれぞれ、例えば面ファスナ式の結束ベルトＴ４，Ｔ５が取り付けられており、結束ベルトＴ４，Ｔ５を他方の第２，第３ベルト３２，３３に巻き付けて一対の第２ベルト３２同士又は一対の第３ベルト３３同士を連結させられるように構成されている。
【００６４】
このように構成された搬送具４０１を、日常的に使用する敷き布団と連結させておくことにより、災害発生時等の緊急時においては図５に示すのと同様に、要救助者Ｐの全身を本体４２により支持しつつ、敷き布団ごと要救助者Ｐを包むようにして抱きかかえて搬送させることができる。また、面ファスナＴ４，Ｔ５を用いて一対の第２ベルト３２同士及び一対の第３ベルト３３同士を連結させることにより、搬送時において要救助者Ｐをより確実に包むことができる。
【００６５】
なお、本実施形態における搬送具４０１については、図５に示す抱っこ型搬送方法に限定されず、上述した引きずり搬送方法や背負い搬送方法等も可能であることは言うまでもない。
【００６６】
以上、本発明の実施形態に係る寝具及び搬送具について添付の図面を参照して説明したが、本発明はかかる実施形態に限定されず、本発明の範囲を逸脱することなく種々の変形・修正が可能である。
【００６７】
例えば、第４実施形態では、下シート５と上シート６とをファスナ３０７を用いて袋状となるように連結させたが、下シート５と上シート６の左右両側縁同士（長手方向Ｄ１に延びる側縁同士）のみをファスナ等の接合手段により接合（連結）させ、本体３０２を長手方向Ｄ１に延びる筒状に構成し、その開口部に面ファスナ等の連結手段を設けて開口部を開閉可能に構成してもよい。
【００６８】
また、各ベルト３を長さ調整可能に構成してもよい。この場合、第１ベルト３１については長さを調整することによって上述した７０ｃｍ〜９０ｃｍになればよく、第２及び第３ベルト３２，３３についても同様に２５ｃｍ〜３５ｃｍになればよい。
【００６９】
更に、上記第１〜第４実施形態においては、下シート５（２０５）を外シート５１に内シート５２を積層させて構成したが、内シート５２を省略し、下シート５（２０５）を不燃性又は難燃性の外シート５１のみから構成してもよい。また、下シート５の底面（外面）に反射布を取り付けても良い。
【００７０】
上述した第５実施形態における搬送具４０１においても、第２実施形態における寝具１０１と同様にファスナ７等の接合手段を設け、本体４０２の長手方向両側縁同士或いは複数の搬送具４０１同士を連結可能に構成してもよい。更に、第１、第２、第３実施形態における寝具１、１０１、２０１についても、第５実施形態と同様に結束バンドＴ４，Ｔ５を設けてもよい。
【符号の説明】
【００７１】
１，１０１，２０１，３０１  寝具
２，１０２，２０２，３０２，４０２  本体
３  ベルト
４  補強ベルト
５  下シート
６  上シート
７  ファスナ（接合手段）
４０１  搬送具
Ｎ，Ｎ’取出口
Ｐ  要救助者
Ｒ  救助者
Ｔ  面ファスナ
【図１】
0006754991.tif 000002
【図２】
0006754991.tif 000003
【図３】
0006754991.tif 000004
【図４】
0006754991.tif 000005
【図５】
0006754991.tif 000006
【図６】
0006754991.tif 000007
【図７】
0006754991.tif 000008
【図８】
0006754991.tif 000009
【図９】
0006754991.tif 000010
【図１０】
0006754991.tif 000011
【図１１】
0006754991.tif 000012
【図１２】
0006754991.tif 000013
【図１３】
0006754991.tif 000014